(57)【要約】【課題】  簡単な角度調節機構を備えた規制部を有するサブソイラを提供することを課題としている。【解決手段】  側面視で弧状をなすナイフビーム４１の先端に、ナイフビーム４１の耕盤への食い込みに対して抵抗を与える規制部４６を、支点４７と位置決め点４９の２点によって揺動可能に取り付け、ナイフビーム４１の先端に前方に向かって突出するチゼル４４を設けた心土破砕用のサブソイラ。両支点をボルト等によって構成することで、規制部４６の揺動角度調節や、所定の角度での位置決め等を容易に行うことができる。【選択図】図３
2005065538.tif 000002
【特許請求の範囲】
【請求項１】
側面視で弧状をなすナイフビーム（４１）を備え、先端に前方に向かって突出するチゼル（４４）を設けた心土破砕用のサブソイラにおいて、ナイフビーム（４１）の先端に、ナイフビーム（４１）の耕盤への食い込みに対して抵抗を与える規制部（４６）を後方に向かって突出させて設け、該規制部（４６）を支点（４７）と位置決め点（４９）の２点によって揺動可能にナイフビーム（４１）に取り付けたサブソイラ。
【発明の詳細な説明】
【技術分野】
【０００１】
本発明は、心土破砕用のサブソイラに関する。
【背景技術】
【０００２】
従来ロータリ耕耘装置に取り付けられる心土破砕用のサブソイラが公知となっている（例えば特許文献１参照）。そして上記サブソイラには、サブソイラが耕盤に必要以上に食い込み、ロータリがサブソイラと共に耕盤中に必要以上に潜り込むことを防止するように、サブソイラの姿勢を維持させる掘削姿勢調節ソールが設けられている。
【特許文献１】特開２００２−２０４６０２号公報
【発明の開示】
【発明が解決しようとする課題】
【０００３】
しかし上記掘削姿勢調節ソールは、後方に比較的長く延出し、ターンバックルによってサブソイラ本体側に支持されており、サブソイラに対する角度調節をターンバックルによって行う必要があるため、角度調節が面倒な他、角度調節機構が複雑化するという欠点があった。
【課題を解決するための手段】
【０００４】
上記課題を解決するための本発明のサブソイラは、側面視で弧状をなすナイフビーム４１を備え、先端に前方に向かって突出するチゼル４４を設けた心土破砕用のサブソイラにおいて、ナイフビーム４１の先端に、ナイフビーム４１の耕盤への食い込みに対して抵抗を与える規制部４６を後方に向かって突出させて設け、該規制部４６を支点４７と位置決め点４９の２点によって揺動可能にナイフビーム４１に取り付けたことを特徴とする。
【発明の効果】
【０００５】
以上のように構成される本発明の構造によると、本発明のサブソイラをロータリ耕耘装置に取り付けた場合、チゼルによって耕盤への食い込みが円滑に行われると共に、規制部によってサブソイラ（ナイフビーム）の耕盤への必要以上の食い込みが規制され、サブソイラの姿勢が維持されるため、ロータリがサブソイラと共に耕盤中に必要以上に潜り込むようなことが防止され、サブソイラ（チゼル）の食い込み状態を略一定に維持して、安定した心土破砕作業を行うことができるという効果がある。
【０００６】
このときチゼルの食い込み状態は、ナイフビームに対する規制部の角度調節によって行うことができ、規制部は支点と位置決め点の２点によって揺動可能にナイフビームに取り付けられているため、２点で簡単に規制部の角度調節が行われ、角度調節を容易に行うことができる他、角度調節機構を簡単に構成することができる。またサブソイラ自体の取り付け角度調節等を行う必要が無いため、サブソイラ自体への負荷が少ないという利点もある。
【発明を実施するための最良の形態】
【０００７】
図１は本発明のサブソイラを装着したロータリ耕耘装置の側面図である。該ロータリ耕耘装置１は、図示しないトラクタの後方に連結され、トラクタの走行に伴い圃場の耕耘作業を行う従来公知のものであり、トラクタ側よりＰＴＯ動力が入力されるギヤケース２からパイプフレーム３が左右に突設されている。
【０００８】
そして上記パイプフレーム３の一方（左）の外端部にチェーンケース４が、他方（右）の外端部に図示しないサイドフレームがそれぞれ一体的に取り付けられて、機体フレーム７を構成しており、該機体フレーム７をベースにロータリ耕耘装置１の機体１０が構成されている。
【０００９】
このとき上記チェーンケース４及びサイドフレームは、共に下方に延出せしめられており、該サイドフレームとチェーンケース４の下部の間に、従来同様、耕耘用のロータリ８が回転駆動自在に軸支されている。
【００１０】
上記構造により、ギヤケース２に入力される駆動力がチェーンケース４を介してロータリ８に伝動され、これによりロータリ８が回転駆動され、圃場の耕耘作業を行う。なおギヤケース２の上部には、左右１対のプレートからなるトップマスト１２が取付けられており、従来同様該トップマスト１２の前端部が、ロータリ耕耘装置１とトラクタとの連結点の１つとなっている。
【００１１】
一方ロータリ耕耘装置１の機体フレーム７側には、上記ロータリ８を覆うロータリカバー１３が設けられており、該ロータリカバー１３は、チェーンケース４とサイドフレームとの間に設けられてロータリ８の上方側を覆うメインカバー１４と、該メインカバー１４の後方に支持機構１６を介して取り付けられてロータリ８の後方側を覆うリヤカバー１７とを備えている。上記メインカバー１４は、側面視で円弧状をなす天板１４ａを母体として、該天板１４ａの左右両側端に側板１４ｂを取り付けた構造となっている。
【００１２】
一方天板１４ａの上面の左右両側には、パイプ状のスライドブラケット２７が前後方向に固定されており、該スライドブラケット２７にはスライド杆２８が前後スライド自在に挿入されている。またスライドブラケット２７には位置決め孔２９が穿設されており、ピン等をスライド杆２８に穿設されたピン孔３１を貫通させて位置決め孔２９に挿入することによって、スライドブラケット２７に対するスライド杆２８の位置を調節固定することができる。またスライド杆２８をスライドブラケット２７から脱抜して、スライド杆２８をスライドブラケット２７から分離することも可能となっている。
【００１３】
そして上記両スライド杆２８の後端には左右方向の横フレーム３２が固定され、さらに横フレーム３２の左右両側に下方に突出してブラケット３３が設けられ、リヤカバー１７を取り付けるカバー支持体２５が構成されており、該カバー支持体２５のブラケット３３にリヤカバー１７が支点軸１８を介して回動自在に軸支されている。なおリヤカバー１７は、横フレーム３２とリヤカバー１７の上面との間に設けられたロッド３４によって横フレーム３２側に吊支されている。またスライド杆２８のスライドブラケット２７に対する脱抜によって、カバー支持体２５とスライドブラケット２７とは着脱自在であり、すなわちカバー支持体２５は機体１０に対して着脱自在となっている。
【００１４】
以上のようにリヤカバー１７は、ブラケット部である左右のスライドブラケット２７とカバー支持体２５からなる支持機構１６を介してメインカバー１４側に取り付けられており、スライドブラケット２７に対するスライド杆２８の位置を調節することによって、リヤカバー１７の位置（回動支点位置）を移動させることにより、リヤカバー１７の前後位置やロータリ８の後方側に形成される空間の広さ及び位置が変更され、円滑な作業を行うことができる耕耘深さの範囲が拡大し、リヤカバー１７やロータリ８の交換等を行うことなく様々な圃場や作業内容に応じることが可能となる。
【００１５】
一方スライド杆２８をスライドブラケット２７から脱抜し、カバー支持体２５を機体１０から取り外しことによって、リヤカバー１７をロータリ耕耘装置１から簡単に取り外すことも可能であり、このため作業時にリヤカバー１７を必要としない作業機に、スライドブラケット２７に挿脱可能なスライド杆を備えた作業機支持体を設けることによって、ロータリ耕耘装置１からリヤカバー１７を取り外し、スライドブラケット２７に作業機支持体のスライド杆を挿入して位置決めすることにより上記作業機Ａを容易に取り付けることができる。
【００１６】
例えば作業機を畦の整形を行う整形器とし、作業機支持体にスライド杆を設けることによって、スライド杆をスライドブラケット２７に挿入して、前述のようにピン等によりスライド杆の位置決めを行うことによって、従来のようにリヤカバー１７を跳ね上げる等の姿勢変更させる必要無く、上記リヤカバー１７を取り外したロータリ耕耘装置１に、リヤカバー１７に代えて上記整形器（作業機Ａ）を簡単に取り付けることができる。
【００１７】
これによりリヤカバー１７が妨げになることなく、整形器によって円滑に畦の整形を行うことができ、特に整形器のロータリ８に対する前後位置を簡単に調節することができ、整形器をロータリ８に近接して設けることができるため、整形性を向上させることができる。また整形器のロータリ耕耘装置１への取付構造が、スライド杆で済むため、取付構造を簡単に構成し、整形器の構造を簡単なものにすることができる。
【００１８】
一方スライドブラケット２７の上方側には、角パイプからなる左右方向の支持杆３６が、ギヤケース２の後方側に取り付けられて設けられており、該支持杆３６には心土破砕用のサブソイラ３７等を取り付けるホルダ３８が左右位置調節自在に設けられている。
【００１９】
これによりリヤカバー１７とロータリ８との間に、ホルダ３８を介してサブソイラ３７を容易に左右位置調節して取り付けることができ、特に深耕作業時において耕耘作業と同時に、サブソイラ３７が心土破砕作業を行い、耕盤部分の土を膨軟にするとともに、耕盤溝を形成し、水はけの良い圃場の造成や、耕盤近傍の残留肥料成分を流出させて作物の健全な生育を促進することができる。
【００２０】
このとき上記サブソイラ３７は、図２，図３に示されるように、ホルダ３８にボルト等によって高さ調節自在に支持される本体３９と、該本体３９の先端に取り付けられるナイフビーム４１とからなり、本体３９とナイフビーム４１とは、ボルト４２，４３によって連結されている。なおいずれか一方のボルトをシャーボルトとし、サブソイラ３７側（ナイフビーム４１）に過負荷がかかると、シャーボルトが折損することによって、過負荷を回避する過負荷回避装置を設けても良い。
【００２１】
上記ナイフビーム４１は、ロータリ耕耘装置１の姿勢に影響を受けないように、側面視（図１，図２）において弧（本実施形態においては円弧）状をなし、先端には土を掘り起こすチゼル４４が前方に向かって設けられている。またナイフビーム４１の先端部分には、ナイフビーム４１の耕盤への食い込みに対して抵抗を与える規制部４６が後方側に向かって設けられている。
【００２２】
該規制部４６は、耕盤との間で抵抗を発生させる板状の規制板４０と、ナイフビーム４１への取り付け用の取付部４５とからなり、取付部４５の先端側がナイフビーム４１にボルト４７を介して回動自在に支持されているとともに、取付部４５の後方部分に円弧状の長孔４８が形成されており、取付部４５の後方部分は該長孔４８を介してボルト４９によってナイフビーム４１に取り付けられている。これにより規制部４６は、２点でナイフビーム４１に取り付けられており、後方側のボルト４９を緩め先端側のボルト４７を中心に揺動させ、所定の揺動角度で後方側のボルト４９を締めることによって、ナイフビーム４１に対して角度調節が可能となっている。
【００２３】
つまり規制部４６は、前方側のボルト４７を支点として、ナイフビーム４１に対して揺動可能であり、後方側のボルト４９を位置決め点として、ナイフビーム４１に対する揺動角度を決定して位置決め固定される。
【００２４】
なお規制部４６の固定時には、後方側のボルト４９と共に先端側のボルト４７を締め込んで、規制部４６を２点で固定しても良い。これによってサブソイラ３７が耕盤に差し込まれた場合に、チゼル４４によって耕盤への食い込みが円滑に行われると共に、規制部４６によってサブソイラ３７（ナイフビーム４１）の耕盤への必要以上の食い込みが規制され、つまり規制部４６がサブソイラ３７の姿勢を維持し、ロータリ８がサブソイラ３７と共に耕盤中に必要以上に潜り込むようなことを防止し、サブソイラ３７（チゼル４４）の食い込み状態を略一定に維持し、安定した心土破砕作業が行われる。
【００２５】
そしてチゼル４４の食い込み状態は、ナイフビーム４１に対する規制部４６の角度調節によって行うことができ、特に規制部４６は２本のボルト４７，４９によって、２点で簡単に角度調節が行われる。このため規制部４６の角度調節を容易に行うことができる他、角度調節機構を簡単に構成することができる。またサブソイラ３７自体の角度調節等を行う必要が無いため、サブソイラ３７自体への負荷が少なく、本体３９とナイフビーム４１との取付構造を簡単にすることができる。
【図面の簡単な説明】
【００２６】
【図１】サブソイラを取り付けた状態のロータリ耕耘装置の側面図である。
【図２】サブソイラの側面図である。
【図３】チゼルと規制部を分解した状態のサブソイラの斜視図である。
【符号の説明】
【００２７】
４１    ナイフビーム
４４    チゼル
４６    規制部
４７    ボルト（支点）
４９    ボルト（位置決め点）
【図１】
2005065538.tif 000003
【図２】
2005065538.tif 000004
【図３】
2005065538.tif 000005